【手続補正書】
【提出日】平成23年9月16日(2011.9.16)
【手続補正１】
【補正対象書類名】特許請求の範囲
【補正対象項目名】全文
【補正方法】変更
【補正の内容】
【特許請求の範囲】
【請求項１】
ハイブリッド端末（１０）が、少なくとも１つのインターネットインタフェースを介して、かつ、少なくとも１つの広帯域インタフェースを介して、少なくとも１つのサービスプロバイダ（１７、１８）と通信する、ハイブリッド端末（１０）のユーザ認証方法であって、少なくとも１つの第１登録ステップが：
インターネット利用可能な端末（１１）を用いて、少なくとも１人のユーザのユーザ識別データ（１４）を入力するステップと、
前記インターネット利用可能な端末（１１）を用いて、前記ユーザに対して、自由に選択可能である個人識別番号（１６）の入力をするように、要求をするステップと、
前記個人識別番号（１６）の入力が前記ユーザにより実行された場合には、前記個人識別番号（１６）を前記インターネット利用可能な端末（１１）から認証装置（１３）の登録サーバに第１インターネット接続（１２）を介して転送するステップと、
前記ユーザの前記ユーザ識別データ（１４）を前記インターネット利用可能な端末（１１）から前記認証装置（１３）の前記登録サーバに前記第１インターネット接続（１２）を介して転送するステップと、
前記ユーザ識別データ（１４）を所定のユーザ参照データ記録と比較して、前記ユーザ識別データが前記所定のユーザ参照データ記録と対応するときに、前記登録サーバに存在する前記ユーザ識別データ（１４）の有効化を行うステップと、
前記認証装置（１３）の記憶媒体に前記ユーザの前記ユーザ識別データ（１４）を記憶するステップと、
前記ユーザに割り当てられる、少なくとも１つの登録コード（１５）の生成をするステップと、
前記ユーザによる前記個人識別番号（１６）の入力が行われなかった場合には、前記ユーザに割り当てられる、少なくとも個人識別番号（１６）の生成を行うステップと、
前記認証装置（１３）の前記登録サーバから前記インターネット利用可能な端末（１１）への前記第１インターネット接続（１２）を介した前記登録コード（１５）の転送を行うステップと、
前記ユーザによる前記個人識別番号（１６）の入力が行われなかった場合に、前記登録サーバから別個の接続を介した前記ユーザ又は前記インターネット利用可能な端末（１１）への前記個人識別番号（１６）を転送するステップと、
を有し；
そして、認証ステップは：  
前記インターネットインタフェースを介して前記認証装置（１３）のアプリケーションサーバと通信する前記ハイブリッド端末（１０）に、前記ユーザに割り当てられたプロファイルファイル（１９）が存在するかどうかの検査をするステップであって、前記ユーザに割り当てられた前記プロファイルファイル（１９）が、前記ハイブリッド端末（１０）に存在する場合には、
ａ）前記ユーザが前記サービスプロバイダ（１７、１８）からのユーザデータの受信、及び／又は前記サービスプロバイダ（１７、１８）へのユーザデータの送信をする権限を付与されているかどうかを確定するために、認証を行うステップ、
または、
ｂ）前記ユーザが前記サービスプロバイダ（１７、１８）から前記ユーザデータを受信し、及び／又は前記サービスプロバイダ（１７、１８）への前記ユーザデータの送信をする権限を付与されているかどうかを確定するために、初期認証を行うステップ、
を実行し、
当該初期認証が、前記ユーザが権限を付与されていることをが示す場合は、
前記ユーザに割り当てられる前記プロファイルファイル（１９）を生成し、
前記認証装置（１３）の前記認証サーバから前記インターネットインタフェースを介した前記ハイブリッド端末（１０）への、前記ハイブリッド端末（１０）にファイルされる前記プロファイルファイル（１９）の移転し；
前記初期認証又は前記認証の後で、前記ユーザが権限を付与されたユーザとして認証された場合は、
前記サービスプロバイダ（１７、１８）の少なくとも１つへ許可メッセージを伝送し、
前記許可メッセージの伝送が行われた前記サービスプロバイダ（１７、１８）からの前記ユーザデータを転送し、
前記ハイブリッド端末（１０）が前記ユーザデータを前記広帯域インタフェースを介して転送するために、前記サービスプロバイダ（１７、１８）と通信する、
ことを特徴とするユーザ認証方法。
【請求項２】
前記初期認証を行うステップは、
前記ハイブリッド端末（１０）を用いて前記登録コード（１５）及び前記個人識別番号（１６）を入力するステップと、
前記登録コード（１５）及び前記個人識別番号（１６）を、前記認証装置（１３）の認証サーバへの前記ハイブリッド端末（１０）の前記インターネットインタフェースを介して転送するステップと、
前記登録コード（１５）及び前記個人識別番号（１６）を前記認証装置（１３）の前記記憶媒体に記憶された前記ユーザの前記ユーザ識別データ（１４）と比較して、前記認証装置（１３）の前記認証サーバ内での前記登録コード（１５）及び個人識別番号（１６）を検査するステップと、
その検査により前記登録コード（１５）及び前記個人識別番号（１６）が前記ユーザの１人に割り当てられる場合に、このユーザに前記サービスプロバイダ（１７、１８）から前記ユーザデータを受信し、及び／又は前記サービスプロバイダ（１７、１８）に前記ユーザデータを送信する権限が付与されていることを確定するステップと、
から構成されることを特徴とする請求項１に記載の方法。
【請求項３】
前記認証の行うステップは、
前記ハイブリッド端末（１０）にファイルされた前記プロファイルファイル（１９）を、前記ハイブリッド端末（１０）の前記インターネットインタフェースを介して前記認証装置（１３）の前記認証サーバへ移転するステップと、
前記プロファイルファイル（１９）を前記認証装置（１３）の前記記憶媒体に記憶された前記ユーザの前記ユーザ識別データ（１４）と比較して、前記認証装置（１３）の前記認証サーバ内の前記プロファイルファイル（１９）を検査するステップと、
前記検査により前記プロファイルファイル（１９）が前記ユーザの１人に割り当てられる場合に、このユーザに、前記サービスプロバイダ（１７、１８）から前記ユーザデータを受信、及び／又は前記サービスプロバイダ（１７、１８）に前記ユーザデータを送信する権限が付与されていることを確定するステップと、
から構成されることを特徴とする請求項１に記載の方法。
【請求項４】
前記認証を行うステップは、
前記ハイブリッド端末を用いて前記個人識別番号（１６）を入力するステップと、
前記ハイブリッド端末（１０）にファイルされた前記プロファイルファイル（１９）、及び前記個人識別番号（１６）を、前記ハイブリッド端末（１０）の前記インターネットインタフェースを介して、前記認証装置（１３）の前記認証サーバへ移転するステップと、
前記個人識別番号（１６）及びプロファイルファイル（１９）を前記認証装置（１３）の前記記憶媒体に記憶された前記ユーザの前記ユーザ識別データ（１４）と比較して、前記認証装置（１３）の前記認証サーバ内の前記個人識別番号（１６）及びプロファイルファイル（１９）を検査するステップと、
前記検査により前記個人識別番号（１６）及びプロファイルファイル（１９）が前記ユーザの１人に割り当てられる場合に、このユーザに、前記サービスプロバイダ（１７、１８）から前記ユーザデータを受信、及び／又は前記サービスプロバイダ（１７、１８）に前記ユーザデータを送信する権限が付与されていることを確定するステップと、
から構成されることを特徴とする請求項１に記載の認証方法。
【請求項５】
前記ハイブリッド端末（１０）がＨｂｂＴＶ端子として設計されることにより、前記ハイブリッド端末（１０）はＨｂｂＴＶ基準による前記インターネットインタフェース及び前記広帯域インタフェースを介して通信することを特徴とする請求項１乃至４のいずれかに記載のユーザ認証方法。
【請求項６】
前記インターネット利用可能な端末（１１）と前記認証装置（１３）との間の通信が、安全なハイパーテキスト転送プロトコルを用いた安全なインターネット接続を介して行われることを特徴とする請求項１乃至５のいずれかに記載のユーザ認証方法。
【請求項７】
前記登録コード（１５）は、数字のみを含むことを特徴とする請求項１乃至６のいずれかに記載のユーザ認証方法。
【請求項８】
前記登録コード（１５）及び個人識別番号（１６）の入力は、前記ハイブリッド端末（１０）の遠隔操作（２１）を用いて行われることを特徴とする請求項２乃至７のいずれかに記載のユーザ認証方法。
【請求項９】
前記ユーザデータは、少なくとも実質的にビデオデータ及び／又はオーディオデータを含むことを特徴とする請求項１乃至８のいずれかに記載のユーザ認証方法。
【請求項１０】
前記ユーザデータは、通信及び許可データを含むことを特徴とする請求項１乃至８のいずれかに記載のユーザ認証方法。
【請求項１１】
ハイブリッド端末（１０）のユーザ認証装置であって、
少なくとも１つのインターネットインタフェース及び少なくとも１つの広帯域インタフェースを有する少なくとも１つのハイブリッド端末（１０）を備え、
登録サーバと、アプリケーションサーバと、認証サーバと、少なくとも１つの記憶媒体とを含む認証装置（１３）を備え、
前記ハイブリッド端末（１０）は、前記インターネットインタフェースを介して前記認証装置（１３）に、そして、前記広帯域インタフェースを介して少なくとも１つのサービスプロバイダ（１７、１８）に接続され、
前記認証装置（１３）は、第２インターネット接続（２０）を介して前記サービスプロバイダ（１７、１８）の少なくとも１つに接続され、
第１インターネット接続（１２）を介して前記認証装置（１３）の前記登録サーバに接続されるインターネット利用可能な端末（１１）を、さらに備え、
前記登録サーバは、
ユーザ識別データ（１４）と所定のユーザ参照データ記録を比較して、前記ユーザ識別データ（１４）が前記所定のユーザ参照データ記録に対応する場合、前記登録サーバに前記第１インターネット接続（１２）を介して前記インターネット利用可能な端末（１１）から転送されるユーザ識別データを有効にし、
前記記憶媒体にユーザの前記ユーザ識別データ（１４）を記憶し、
少なくとも１つの登録コード（１５）と、少なくとも１つの個人識別番号（１６）とを生成し、前記登録コード（１５）及び／又は前記個人識別番号（１６）がユーザに割り当てられ、
前記登録コード（１５）を前記認証装置（１３）の前記登録サーバから前記インターネット利用可能な端末（１１）に前記第１インターネット接続（１２）を介して転送し、
前記個人識別番号（１６）を前記登録サーバから前記ユーザあるいは前記インターネット利用可能な端末（１１）に別個の接続を介して転送し、
前記インターネットインタフェースを介して前記認証装置（１３）のアプリケーションサーバと通信するように構成された前記ハイブリッド端末（１０）に、前記ユーザに割り当てられたプロファイルファイル（１９）が存在するかどうかを検査し、
前記ユーザに割り当てられた前記プロファイルファイル（１９）が、前記ハイブリッド端末（１０）に存在する場合、
ａ）前記ユーザに、前記サービスプロバイダ（１７、１８）からユーザデータを受信する権限が付与されているかどうかを確定するために認証の行い、
或いは、
ｂ）前記ユーザに、前記サービスプロバイダ（１７、１８）から前記ユーザデータを受信、及び／又は前記サービスプロバイダ（１７、１８）に前記ユーザデータを送信する権限が付与されているかどうかを確定するために、初期認証を行い、
前記ユーザに割り当てられる前記プロファイルファイル（１９）を生成し、
前記インターネットインタフェースを介して前記認証装置（１３）の前記認証サーバから前記ハイブリッド端末（１０）に、前記ハイブリッド端末（１０）にファイルされる前記プロファイルファイル（１９）を移転し、
前記初期認証又は前記認証の後、前記ユーザが権限を付与されたユーザとして認証された場合には、
前記サービスプロバイダ（１７、１８）の少なくとも１つに許可メッセージを伝送され、
前記許可メッセージの伝送された前記サービスプロバイダ（１８）から前記ユーザデータを転送し、
前記ハイブリッド端末（１０）が前記ユーザデータを前記広帯域インタフェースを介して転送するために、前記サービスプロバイダと通信するように構成されている、
ことを特徴とするユーザ認証装置。